(57)【要約】  受信機と通信する送信機であって、ホッピングするサブキャリア間隔が所定の閾値以下となるホッピング系列をセルＩＤに基づいて生成する第１のホッピング系列生成部と、所定の既知信号系列からなるリファレンスシグナル基本パターンと、第１のホッピング系列生成部が生成したホッピング系列とに基づいて、リファレンスシグナルパターンを生成する第１のリファレンスシグナルパターン生成部と、第１のリファレンスシグナルパターン生成部が生成したリファレンスシグナルパターンに基づいて、シンボル内の所定の位置にリファレンスシグナルとデータシンボルとを配置する配置部と、配置部がリファレンスシグナルとデータシンボルとを配置したシンボルを受信機に送信する信号送信部とを備える。
2009131142.tif 000002
【特許請求の範囲】
【請求項１】
送信機と受信機とを備える通信システムであって、
前記送信機は、
ホッピングするサブキャリア間隔が所定の閾値以下となるホッピング系列をセルＩＤに基づいて生成する第１のホッピング系列生成部と、
所定の既知信号系列からなるリファレンスシグナル基本パターンと、前記第１のホッピング系列生成部が生成したホッピング系列とに基づいて、リファレンスシグナルパターンを生成する第１のリファレンスシグナルパターン生成部と、
前記第１のリファレンスシグナルパターン生成部が生成したリファレンスシグナルパターンに基づいて、シンボル内の所定の位置に前記リファレンスシグナルとデータシンボルとを配置する配置部と、
前記配置部がリファレンスシグナルとデータシンボルとを配置したシンボルを前記受信機に送信する信号送信部とを備え、
前記受信機は、
前記送信機から送信される信号を受信する信号受信部と、
前記信号受信部が受信した信号に含まれるセルＩＤに基づいてホッピング系列を生成する第２のホッピング系列生成部と、
所定の既知信号系列からなるリファレンスシグナル基本パターンと、前記第２のホッピング系列生成部が生成するホッピング系列とに基づいて、リファレンスシグナルパターンを生成する第２のリファレンスシグナルパターン生成部と、
前記第２のリファレンスシグナルパターン生成部が生成したリファレンスシグナルパターンに基づいて、前記信号受信部が受信した信号の所定位置に配置されたリファレンスシンボルとデータシンボルとを分離する分離部と、
前記分離部が分離したリファレンスシンボルに基づいて、ホッピングするサブキャリア間隔が所定の閾値以下となる範囲でチャネル推定を行うチャネル推定部とを備える通信システム。
【請求項２】
受信機と通信する送信機であって、
ホッピングするサブキャリア間隔が所定の閾値以下となるホッピング系列をセルＩＤに基づいて生成する第１のホッピング系列生成部と、
所定の既知信号系列からなるリファレンスシグナル基本パターンと、前記第１のホッピング系列生成部が生成したホッピング系列とに基づいて、リファレンスシグナルパターンを生成する第１のリファレンスシグナルパターン生成部と、
前記第１のリファレンスシグナルパターン生成部が生成したリファレンスシグナルパターンに基づいて、シンボル内の所定の位置に前記リファレンスシグナルとデータシンボルとを配置する配置部と、
前記配置部がリファレンスシグナルとデータシンボルとを配置したシンボルを前記受信機に送信する信号送信部と、
を備える送信機。
【請求項３】
前記第１のホッピング系列生成部は、各セルＩＤに対応したホッピング系列を予め記憶し、セルＩＤに対応したホッピング系列を生成する請求項２に記載の送信機。
【請求項４】
前記第１のホッピング系列生成部は、所定の関数を使用してホッピング系列を生成する請求項２に記載の送信機。
【請求項５】
前記第１のホッピング系列生成部は、各セルＩＤに対応したホッピング系列間の相関が所定値よりも小さなホッピング系列を予め記憶する請求項３に記載の送信機。
【請求項６】
前記第１のホッピング系列生成部は、各セルＩＤに対応したホッピング系列間の相関が所定値よりも小さなホッピング系列を、セルＩＤに基づいて生成する請求項２に記載の送信機。
【請求項７】
前記第１のホッピング系列生成部は、各セルＩＤに対応したホッピング系列間の相関が所定値よりも小さなホッピング系列を、所定の関数を使用して生成する請求項４に記載の送信機。
【請求項８】
前記第１のホッピング系列生成部は、ランダムな系列を用いてホッピング系列を生成する請求項３に記載の送信機。
【請求項９】
前記第１のホッピング系列生成部は、ホッピングするサブキャリア間隔が１以下となるようにホッピング系列を生成する請求項２に記載の送信機。
【請求項１０】
送信機と通信する受信機であって、
前記送信機から送信される信号を受信する信号受信部と、
前記信号受信部が受信した信号に含まれるセルＩＤに基づいてホッピング系列を生成する第２のホッピング系列生成部と、
所定の既知信号系列からなるリファレンスシグナル基本パターンと、前記第２のホッピング系列生成部が生成するホッピング系列とに基づいて、リファレンスシグナルパターンを生成する第２のリファレンスシグナルパターン生成部と、
前記第２のリファレンスシグナルパターン生成部が生成したリファレンスシグナルパターンに基づいて、前記信号受信部が受信した信号の所定位置に配置されたリファレンスシンボルとデータシンボルとを分離する分離部と、
前記分離部が分離したリファレンスシンボルに基づいて、ホッピングするサブキャリア間隔が所定の閾値以下となる範囲でチャネル推定を行うチャネル推定部と、
を備える受信機。
【請求項１１】
前記チャネル推定部は、ホッピングするサブキャリア間隔が１以下となる範囲でチャネル推定を行う請求項１０に記載の受信機。
【請求項１２】
送信機と受信機とを用いた通信方法であって、
前記送信機は、
ホッピングするサブキャリア間隔が所定の閾値以下となるホッピング系列をセルＩＤに基づいて生成する第１のホッピング系列生成過程と、
所定の既知信号系列からなるリファレンスシグナル基本パターンと、前記第１のホッピング系列生成過程で生成したホッピング系列とに基づいて、リファレンスシグナルパターンを生成する第１のリファレンスシグナルパターン生成過程と、
前記第１のリファレンスシグナルパターン生成過程で生成したリファレンスシグナルパターンに基づいて、シンボル内の所定の位置に前記リファレンスシグナルとデータシンボルとを配置する配置過程と、
前記配置過程でリファレンスシグナルとデータシンボルとを配置したシンボルを前記受信機に送信する信号送信過程とを有し、
前記受信機は、
前記送信機から送信される信号を受信する信号受信過程と、
前記信号受信過程で受信した信号に含まれるセルＩＤに基づいてホッピング系列を生成する第２のホッピング系列生成過程と、
所定の既知信号系列からなるリファレンスシグナル基本パターンと、前記第２のホッピング系列生成過程で生成するホッピング系列とに基づいて、リファレンスシグナルパターンを生成する第２のリファレンスシグナルパターン生成過程と、
前記第２のリファレンスシグナルパターン生成過程で生成したリファレンスシグナルパターンに基づいて、前記信号受信過程で受信した信号の所定位置に配置されたリファレンスシンボルとデータシンボルとを分離する分離過程と、
前記分離過程で分離したリファレンスシンボルに基づいて、ホッピングするサブキャリア間隔が所定の閾値以下となる範囲でチャネル推定を行うチャネル推定過程とを有する通信方法。
【発明の詳細な説明】
【技術分野】
【０００１】
本発明は、通信システム、送信機、受信機及び通信方法に関する。
本願は、２００８年４月２３日に、日本に出願された特願２００８−１１２６０５に基づき優先権を主張し、その内容をここに援用する。
【背景技術】
【０００２】
近年、ＯＦＤＭ（Ｏｒｔｈｏｇｏｎａｌ  Ｆｒｅｑｕｅｎｃｙ  Ｄｉｖｉｓｊｏｎ  Ｍｕｌｔｉｐｌｅｘｉｎｇ：直交周波数分割多重）技術に基づく移動通信方式の検討が行われている。また、他の通信方式を用いる通信技術と、ＯＦＤＭ技術の組み合わせに基づく移動通信方式の検討が行われている。他の通信方式とは、例えば、ＣＤＭＡ（Ｃｏｄｅ  Ｄｉｖｉｓｉｏｎ  Ｍｕｌｔｉｐｌｅｘｉｎｇ  Ａｃｃｅｓｓ：符号分割多元接続）である。
携帯電話の標準化を行っている３ＧＰＰ（第３世代パートナーシッププロジェクト：Ｔｈｅ  ３ｒｄ  Ｇｅｎｅｒａｔｉｏｎ  Ｐａｒｔｎｅｒｓｈｉｐ  Ｐｒｏｊｅｃｔ）においても、ＬＴＥ（Ｌｏｎｇ  Ｔｅｒｍ  Ｅｖｏｌｕｔｉｏｎ：長期的進化）として、次世代の仕様を検討している。そして、３ＧＰＰでは、このダウンリンクの通信方式として、ＯＦＤＭ技術を採用することが決定している。【０００３】
ＬＴＥで検討されているダウンリンクの通信方式では、既知シンボル（パイロットシンボルとも称する）に相当するリファレンスシグナル（ＲＳ：Ｒｅｆｅｒｅｎｃｅ  Ｓｉｇｎａｌ）が、アンテナ毎に送信機から受信機に送信される。このリファレンスシグナルには、以下に示す（１）〜（３）の３種類がある。【０００４】
（１）  Ｃｅｌｌ−ｓｐｅｃｉｆｉｃ  ｒｅｆｅｒｅｎｃｅ  ｓｉｇｎａｌｓ、（２）  ＭＢＳＦＮ  ｒｅｆｅｒｅｎｃｅ  ｓｉｇｎａｌｓ、
（３）  ＵＥ−ｓｐｅｃｉｆｉｃ  ｒｅｆｅｒｅｎｃｅ  ｓｉｇｎａｌｓ【０００５】
上記（１）〜（３）のリファレンスシグナルを、それぞれどのシンボルに配置するかについては、非特許文献１に記載されている。その他に、これに関連する技術として、非特許文献２、非特許文献３が知られている。【０００６】
Ｃｅｌｌ−ｓｐｅｃｉｆｉｃ  ｒｅｆｅｒｅｎｃｅ  ｓｉｇｎａｌについては、送信機である基地局装置ごとに、その配置を設定することが検討されている。Ｃｅｌｌ−ｓｐｅｃｉｆｉｃ  ｒｅｆｅｒｅｎｃｅ  ｓｉｇｎａｌの配置については、非特許文献１に記載されている。【０００７】
リファレンスシグナルの配置については、シフティング（Ｓｈｉｆｔｉｎｇ）とホッピング（Ｈｏｐｐｉｎｇ）の２方式がある。
シフティングでは、セル固有のセルＩＤに対応した特定のパターンでリファレンスシグナル基本パターンを周波数方向にシフトさせて配置する。シフティングでは、時間方向（サブフレーム単位）には、リファレンスシグナル基本パターンの配置は変化しない。【０００８】
一方、ホッピングでは、セル固有のセルＩＤに対応した特定のパターンでリファレンスシグナル基本パターンを周波数方向にシフトさせて配置する。ホッピングでは、時間方向（サブフレーム単位）でも、セル固有のセルＩＤに対応した特定のパターンに従って周波数方向へのシフトを継続して行う。【０００９】
従来の技術では、制限なしにホッピングを行う場合、チャネル推定を行う際の複雑さが増加してしまう。逆に、シフティングを行う場合、チャネル推定を行う際の複雑さは少ないが、スループット特性が劣化してしまう。また、非特許文献２に示されているリファレンスシグナルの配置を用いる場合、チャネル推定の精度が劣化してしまう。
このため、従来の技術では、送信機から送信された信号を、受信機でチャネル推定する際の処理が複雑化し、送信機と受信機とで通信する際のスループットが低下するという問題があった。
【先行技術文献】
【非特許文献】
【００１０】
【非特許文献１】３ＧＰＰ  ＴＳ  ３６．２１１  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｐｈｙｓｉｃａｌ  Ｃｈａｎｎｅｌｓ  ａｎｄ  Ｍｏｄｕｌａｔｉｏｎ  Ｖ８．０．０
【非特許文献２】Ｍａｒｖｅｌｌ  Ｓｅｍｉｃｏｎｄｕｃｔｏｒｓ、“Ｃｏｍｐｌｅｘｉｔｙ  ａｎｄ  ｐｅｒｆｏｒｍａｎｃｅ  ｏｆ  ｃｈａｎｎｅｌ  ｅｓｔｉｍａｔｉｏｎ  ｗｉｔｈ  ｈｏｐｐｉｎｇ  ＲＳ”（３ＧＰＰ  Ｒ１−０７１７５９）
【非特許文献３】Ｑｕａｌｃｏｍｍ  Ｅｕｒｏｐｅ、“Ｄｅｔａｉｌｓ  ｏｎ  ｈｏｐｐｉｎｇ  ｏｆ  ＤＬ  ＲＳ”（３ＧＰＰ  Ｒ１−０７２０２７）
【発明の概要】
【発明が解決しようとする課題】
【００１１】
本発明は、上記事情に鑑みてなされたものであり、その目的は、送信機と受信機とで通信する際のスループットが低下することを防ぐことができる通信システム、送信機、受信機及び通信方法を提供することにある。
【課題を解決するための手段】
【００１２】
（１）  本発明は、上記課題を解決するためになされたもので、本発明の一態様による通信システムは、送信機と受信機とを備える通信システムであって、前記送信機は、ホッピングするサブキャリア間隔が所定の閾値以下となるホッピング系列をセルＩＤに基づいて生成する第１のホッピング系列生成部と、所定の既知信号系列からなるリファレンスシグナル基本パターンと、前記第１のホッピング系列生成部が生成したホッピング系列とに基づいて、リファレンスシグナルパターンを生成する第１のリファレンスシグナルパターン生成部と、前記第１のリファレンスシグナルパターン生成部が生成したリファレンスシグナルパターンに基づいて、シンボル内の所定の位置に前記リファレンスシグナルとデータシンボルとを配置する配置部と、前記配置部がリファレンスシグナルとデータシンボルとを配置したシンボルを前記受信機に送信する信号送信部とを備え、前記受信機は、前記送信機から送信される信号を受信する信号受信部と、前記信号受信部が受信した信号に含まれるセルＩＤに基づいてホッピング系列を生成する第２のホッピング系列生成部と、所定の既知信号系列からなるリファレンスシグナル基本パターンと、前記第２のホッピング系列生成部が生成するホッピング系列とに基づいて、リファレンスシグナルパターンを生成する第２のリファレンスシグナルパターン生成部と、前記第２のリファレンスシグナルパターン生成部が生成したリファレンスシグナルパターンに基づいて、前記信号受信部が受信した信号の所定位置に配置されたリファレンスシンボルとデータシンボルとを分離する分離部と、前記分離部が分離したリファレンスシンボルに基づいて、ホッピングするサブキャリア間隔が所定の閾値以下となる範囲でチャネル推定を行うチャネル推定部とを備える。【００１３】
（２）  また、本発明の一態様による送信機は、受信機と通信する送信機であって、ホッピングするサブキャリア間隔が所定の閾値以下となるホッピング系列をセルＩＤに基づいて生成する第１のホッピング系列生成部と、所定の既知信号系列からなるリファレンスシグナル基本パターンと、前記第１のホッピング系列生成部が生成したホッピング系列とに基づいて、リファレンスシグナルパターンを生成する第１のリファレンスシグナルパターン生成部と、前記第１のリファレンスシグナルパターン生成部が生成したリファレンスシグナルパターンに基づいて、シンボル内の所定の位置に前記リファレンスシグナルとデータシンボルとを配置する配置部と、前記配置部がリファレンスシグナルとデータシンボルとを配置したシンボルを前記受信機に送信する信号送信部とを備える。【００１４】
（３）  また、本発明の一態様による送信機では、前記第１のホッピング系列生成部は、各セルＩＤに対応したホッピング系列を予め記憶し、セルＩＤに対応したホッピング系列を生成しても良い。【００１５】
（４）  また、本発明の一態様による送信機では、前記第１のホッピング系列生成部は、所定の関数を使用してホッピング系列を生成しても良い。【００１６】
（５）  また、本発明の一態様による送信機では、前記第１のホッピング系列生成部は、各セルＩＤに対応したホッピング系列間の相関が所定値よりも小さなホッピング系列を予め記憶しても良い。【００１７】
（６）  また、本発明の一態様による送信機では、前記第１のホッピング系列生成部は、各セルＩＤに対応したホッピング系列間の相関が所定値よりも小さなホッピング系列を、セルＩＤに基づいて生成しても良い。【００１８】
（７）  また、本発明の一態様による送信機では、前記第１のホッピング系列生成部は、各セルＩＤに対応したホッピング系列間の相関が所定値よりも小さなホッピング系列を、所定の関数を使用して生成しても良い。【００１９】
（８）  また、本発明の一態様による送信機では、前記第１のホッピング系列生成部は、ランダムな系列を用いてホッピング系列を生成しても良い。【００２０】
（９）  また、本発明の一態様による送信機では、前記第１のホッピング系列生成部は、ホッピングするサブキャリア間隔が１以下となるようにホッピング系列を生成しても良い。【００２１】
（１０）  また、本発明の一態様による受信機は、送信機と通信する受信機であって、前記送信機から送信される信号を受信する信号受信部と、前記信号受信部が受信した信号に含まれるセルＩＤに基づいてホッピング系列を生成する第２のホッピング系列生成部と、所定の既知信号系列からなるリファレンスシグナル基本パターンと、前記第２のホッピング系列生成部が生成するホッピング系列とに基づいて、リファレンスシグナルパターンを生成する第２のリファレンスシグナルパターン生成部と、前記第２のリファレンスシグナルパターン生成部が生成したリファレンスシグナルパターンに基づいて、前記信号受信部が受信した信号の所定位置に配置されたリファレンスシンボルとデータシンボルとを分離する分離部と、前記分離部が分離したリファレンスシンボルに基づいて、ホッピングするサブキャリア間隔が所定の閾値以下となる範囲でチャネル推定を行うチャネル推定部とを備える。【００２２】
（１１）  また、本発明の一態様による受信機では、前記チャネル推定部は、ホッピングするサブキャリア間隔が１以下となる範囲でチャネル推定を行っても良い。【００２３】
（１２）  また、本発明の一態様による通信方法は、送信機と受信機とを用いた通信方法であって、前記送信機は、ホッピングするサブキャリア間隔が所定の閾値以下となるホッピング系列をセルＩＤに基づいて生成する第１のホッピング系列生成過程と、所定の既知信号系列からなるリファレンスシグナル基本パターンと、前記第１のホッピング系列生成過程で生成したホッピング系列とに基づいて、リファレンスシグナルパターンを生成する第１のリファレンスシグナルパターン生成過程と、前記第１のリファレンスシグナルパターン生成過程で生成したリファレンスシグナルパターンに基づいて、シンボル内の所定の位置に前記リファレンスシグナルとデータシンボルとを配置する配置過程と、前記配置過程でリファレンスシグナルとデータシンボルとを配置したシンボルを前記受信機に送信する信号送信過程とを有し、前記受信機は、前記送信機から送信される信号を受信する信号受信過程と、前記信号受信過程で受信した信号に含まれるセルＩＤに基づいてホッピング系列を生成する第２のホッピング系列生成過程と、所定の既知信号系列からなるリファレンスシグナル基本パターンと、前記第２のホッピング系列生成過程で生成するホッピング系列とに基づいて、リファレンスシグナルパターンを生成する第２のリファレンスシグナルパターン生成過程と、前記第２のリファレンスシグナルパターン生成過程で生成したリファレンスシグナルパターンに基づいて、前記信号受信過程で受信した信号の所定位置に配置されたリファレンスシンボルとデータシンボルとを分離する分離過程と、前記分離過程で分離したリファレンスシンボルに基づいて、ホッピングするサブキャリア間隔が所定の閾値以下となる範囲でチャネル推定を行うチャネル推定過程とを有する。
【発明の効果】
【００２４】
本発明の通信システム、送信機、受信機及び通信方法では、送信機から送信された信号を受信機でチャネル推定する際の処理を簡略化することができ、送信機と受信機とで通信する際のスループットが低下することを防ぐことができる。
【図面の簡単な説明】
【００２５】
【図１】本発明の実施形態による通信システム１００の概略図である。
【図２】本発明の実施形態による基地局装置１０ａと端末２０の構成を示す概略ブロック図である。
【図３】本発明の実施形態による基地局装置１０ａの送信部１２の構成を示す概略ブロック図である。
【図４】本発明の実施形態による端末２０の受信部２４の構成を示す概略ブロック図である。
【図５】本発明の実施形態によるホッピングの一例を示す図である。
【図６】本発明の実施形態によるＲＳパターン生成部１２９又はＲＳパターン生成部２４８の処理を示すフローチャートである。
【図７】本発明の実施形態によるセルＩＤとホッピング系列の対応表の一例を示す図である。
【図８Ａ】基本ＲＳパターンを示す図である。
【図８Ｂ】第１サブフレームのＲＳパターンを示す図である。
【図８Ｃ】第２サブフレームのＲＳパターンを示す図である。
【図９Ａ】ＲＳパターンＡｘ−１を示す図である。
【図９Ｂ】ＲＳパターンＡｘを示す図である。
【図１０】ホッピング方法の違いによるチャネル推定の複雑さとホッピング系列数についてまとめた表である。
【発明を実施するための形態】
【００２６】
以下、図面を参照し、本発明の実施形態について説明する。
図１は、本発明の実施形態による通信システム１００の概略図である。通信システム１００は、ＯＦＤＭ技術を用いる。図１において、基地局装置１０ａ、１０ｂと、携帯電話である端末２０は、通信を行う。
図１において、セルｃ１は、基地局装置１０ａが端末２０と通信可能な領域を示している。また、セルｃ２は、基地局装置１０ｂが端末２０と通信可能な領域を示している。
【００２７】
端末２０は、基地局装置１０ａからだけではなく、基地局装置１０ｂからのセル間干渉も同時に受けている。この様なセル間干渉を受けている端末２０の受信特性を向上させるため、基地局装置１０ａは、リファレンスシグナル（ＲＳ：Ｒｅｆｅｒｅｎｃｅ  Ｓｉｇｎａｌ）をホッピング（Ｈｏｐｐｉｎｇ）させて端末２０に送信する。
【００２８】
以下では、リファレンスシグナルのホッピング系列として、スループット特性やチャネル推定の精度を低下させることなく、端末２０のチャネル推定の複雑さを抑制するホッピング系列について説明する。
【００２９】
図２は、本発明の実施形態による基地局装置１０ａと端末２０の構成を示す概略ブロック図である。なお、基地局装置１０ｂ（図１）の構成は、基地局装置１０ａと同様であるため、その説明を省略する。
基地局装置１０ａは、アンテナ部１１、送信部１２、制御部１３、受信部１４を備えている。
【００３０】
アンテナ部１１は、送信部１２から出力される信号を、無線周波数帯のＯＦＤＭ信号として端末２０に送信する。また、アンテナ部１１は、端末２０から送信された無線周波数帯のＯＦＤＭ信号を受信し、受信部１４に出力する。
【００３１】
送信部１２は、端末２０に送信するデータを制御部１３から取得し、送信信号に関する処理を行い、無線周波数帯のＯＦＤＭ信号として、アンテナ部１１に出力する。
受信部１４は、端末２０から送信された無線周波数帯のＯＦＤＭ信号に対して、受信信号に関する処理を行い、処理後のデータを制御部１３に出力する。
制御部１３は、端末２０に送信するデータを送信部１２に出力したり、端末２０から送信されたデータを受信部１４から取得したりする。また、制御部１３は、基地局装置１０ａの各部を制御する。
【００３２】
端末２０は、アンテナ部２１、送信部２２、制御部２３、受信部２４を備えている。
アンテナ部２１は、送信部２２から出力される信号を、無線周波数帯のＯＦＤＭ信号として基地局装置１０ａに送信する。また、アンテナ部２１は、基地局装置１０ａから送信された無線周波数帯のＯＦＤＭ信号を受信し、受信部２４に出力する。
【００３３】
送信部２２は、基地局装置１０ａに送信するデータを制御部２３から取得し、送信信号に関する処理を行い、無線周波数帯のＯＦＤＭ信号として、アンテナ部２１に出力する。
受信部２４は、基地局装置１０ａから送信された無線周波数帯のＯＦＤＭ信号を、アンテナ部２１を介して取得し、受信信号に関する処理を行った後、データとして制御部２３に出力する。
制御部２３は、基地局装置１０ａに送信するデータを送信部２２に出力したり、基地局装置１０ａから送信されたデータを受信部２４から取得したりする。また、制御部２３は、端末２０の各部を制御する。
【００３４】
図３は、本発明の実施形態による基地局装置１０ａの送信部１２の構成を示す概略ブロック図である。送信部１２は、変調部１２１、ＲＥ（Ｒｅｓｏｕｒｃｅ  Ｅｌｅｍｅｎｔ：リソースエレメント）配置部１２２、ＩＦＦＴ（Ｉｎｖｅｒｓｅ  Ｆａｓｔ  Ｆｏｕｒｉｅｒ  Ｔｒａｎｓｆｏｒｍ：逆高速フーリエ変換）処理部１２３、無線部１２４、セルＩＤ記憶部１２５、ＲＳ生成部１２６、ホッピング系列生成部１２７、ＲＳ基本パターン記憶部１２８、ＲＳパターン生成部１２９を備えている。
【００３５】
始めに、各ユーザーの情報に相当するユーザーデータや、制御信号に相当する制御データなどのデータが、制御部１３（図２）から変調部１２１に入力される。
変調部１２１は、それぞれのデータに相当する変調を行い、変調したデータシンボルを得る。例えば、変調部１２１は、通信環境が良い場合には、ユーザーデータを６４ＱＡＭ（６４  Ｑｕａｄｒａｔｕｒｅ  Ａｍｐｌｉｔｕｄｅ  Ｍｏｄｕｌａｔｉｏｎ：６４直交振幅変調）で変調し、データシンボルを得る。また、変調部１２１は、制御データをＱＰＳＫ（Ｑｕａｄｒａｔｕｒｅ  Ｐｈａｓｅ  Ｓｈｉｆｔ  Ｋｅｙｉｎｇ：４相位相偏移変調）で変調し、データシンボルを得る。
【００３６】
変調部１２１で変調されたデータシンボルは、ＲＥ配置部１２２に入力される。
ＲＳ生成部１２６は、セルＩＤ記憶部１２５に記憶されているセルＩＤに基づいて、既知シンボルやパイロットシンボルに相当するリファレンスシグナルを生成する。ＲＳ生成部１２６で生成されたリファレンスシグナルは、ＲＥ配置部１２２に入力される。
ホッピング系列生成部１２７は、セルＩＤ記憶部１２５に記憶されているセルＩＤに基づいて、ホッピング系列を生成する。ホッピング系列生成部１２７で生成されたホッピング系列は、ＲＳパターン生成部１２９に入力される。
【００３７】
ホッピング系列生成部１２７の動作についての詳細は、＜ホッピング系列生成部の動作方法＞の箇所で後述する。ここで、ホッピング系列生成部１２７で生成されるホッピング系列は、セルＩＤに基づいて決定され、またホッピングのさせ方に制限が設けられている。
ホッピング系列の生成方法と、ホッピング系列の制限の設け方についての詳細は、＜ホッピング系列の生成方法＞の箇所で後述する。
ＲＳ基本パターン記憶部１２８に記憶されたＲＳ基本パターンも、ＲＳパターン生成部１２９に入力される。
【００３８】
ＲＳパターン生成部１２９は、入力されたＲＳ基本パターンを、入力されたホッピング系列に基づいてホッピングし、ＲＳパターンを生成する。ここで、ホッピング系列には、ホッピングの仕方に制限が設けられている。そのため、ホッピング系列に基づいて生成されるＲＳパターンのホッピングの仕方についても同様に、制限が設けられる。
ＲＳパターン生成部１２９の動作については、＜ＲＳパターン生成部の動作＞の箇所で後述する。ＲＳパターン生成部１２９で生成されたＲＳパターンは、ＲＥ配置部１２２に入力される。
【００３９】
ＲＥ配置部１２２は、ＲＳパターン生成部１２９から入力されたＲＳパターンに従い、変調されたデータシンボルとリファレンスシグナルとを、リソースエレメントに配置する。
ＩＦＦＴ処理部１２３は、ＲＥ配置部１２２で配置されたそれぞれのシンボルを、周波数領域の信号から時間領域の信号に変換する。
無線部１２４は、ＩＦＦＴ処理部１２３が出力する信号を、無線周波数帯の信号に変換する。
アンテナ部１１は、無線部１２４が出力する信号を、端末２０に送信する。
【００４０】
本実施形態の基地局装置１０ａ、１０ｂ（送信機とも称する）のホッピング系列生成部１２７（第１のホッピング系列生成部とも称する）は、ホッピングするサブキャリア間隔が、所定の閾値以下となるホッピング系列を、セルＩＤに基づいて生成する。
また、ＲＳパターン生成部１２９（第１のリファレンスシグナルパターン生成部とも称する）は、所定の既知信号系列からなるリファレンスシグナル基本パターンと、ホッピング系列生成部１２７が生成したホッピング系列とに基づいて、リファレンスシグナルパターンを生成する。
また、ＲＥ配置部１２２（配置部とも称する）は、ＲＳパターン生成部１２９が生成したリファレンスシグナルパターンに基づいて、シンボル内の所定の位置にリファレンスシグナルとデータシンボルとを配置する。
また、無線部１２４（信号送信部とも称する）は、ＲＥ配置部１２２がリファレンスシグナルとデータシンボルとを配置したシンボルを、端末２０（受信機とも称する）に送信する。
【００４１】
図４は、本発明の実施形態による端末２０の受信部２４の構成を示す概略ブロック図である。受信部２４は、無線部２４１、ＦＦＴ（Ｆａｓｔ  Ｆｏｕｒｉｅｒ  Ｔｒａｎｓｆｏｒｍ：高速フーリエ変換）処理部２４２、分離部２４３、復調部２４４、セルＩＤ検出部２４５、ホッピング系列生成部２４６、ＲＳ基本パターン記憶部２４７、ＲＳパターン生成部２４８、チャネル推定部２４９を備えている。
【００４２】
アンテナ部２１は、基地局装置１０ａ、１０ｂから送信される無線周波数帯の信号を電気信号として受信する。無線部２４１は、アンテナ部２１が出力する信号を、ダウンコンバートし、ベースバンド帯域信号に変換する。
ＦＦＴ処理部２４２は、無線部２４１が出力する信号を、時間領域の信号から周波数領域の信号に変換し、サブキャリア毎のパラレル信号として分離部２４３に出力する。分離部２４３は、ＲＳパターン生成部２４８で生成されたＲＳパターンに従って、リファレンスシグナル（ＲＳ）とデータシンボルとを取り出す。
ホッピング系列生成部２４６、ＲＳ基本パターン記憶部２４７、ＲＳパターン生成部２４８の処理は、図３のホッピング系列生成部１２７、ＲＳ基本パターン記憶部１２８、ＲＳパターン生成部１２９の処理と同様である。
セルＩＤ検出部２４５は、同期信号などを復調し、セルＩＤを検出する。
【００４３】
分離部２４３で取り出されたリファレンスシグナルは、チャネル推定部２４９に入力される。
チャネル推定部２４９は、入力されたリファレンスシグナルと、ＲＳパターン生成部２４８で生成されたＲＳパターンとに基づいて、伝播路を推定する。
復調部２４４は、チャネル推定部２４９で推定された伝播路特性を利用して、復調部２４４に入力された受信データシンボルを復調する。
【００４４】
本実施形態の端末２０の無線部２４１（信号受信部とも称する）は、基地局装置１０ａ、１０ｂから送信される信号を受信する。
また、ホッピング系列生成部２４６（第２のホッピング系列生成部とも称する）は、無線部２４１が受信した信号に含まれるセルＩＤに基づいてホッピング系列を生成する。
また、ＲＳパターン生成部２４８（第２のリファレンスシグナルパターン生成部とも称する）は、所定の既知信号系列からなるリファレンスシグナル基本パターンと、ホッピング系列生成部２４６が生成するホッピング系列とに基づいて、リファレンスシグナルパターンを生成する。
また、分離部２４３は、ＲＳパターン生成部２４８が生成したリファレンスシグナルパターンに基づいて、無線部２４１が受信した信号の所定位置に配置されたリファレンスシンボルとデータシンボルとを分離する。
また、チャネル推定部２４９は、分離部２４３が分離したリファレンスシンボルに基づいて、ホッピングするサブキャリア間隔が所定の閾値以下となる範囲でチャネル推定を行う。
【００４５】
以上の処理により、ユーザー情報に相当するユーザーデータや、制御信号に相当する制御データなどの所望のデータを得ることができる。
ここでは、基地局装置１０ａ、１０ｂや、端末２０が、アンテナ部を１つ備える場合について説明した。なお、基地局装置１０ａ、１０ｂや、端末２０が、アンテナ部を複数備えていても良い。各基地局装置１０ａ、１０ｂの各アンテナ部から送信されるＲＳ送信パターンを、ＲＳ基本パターンからホッピングさせる。例えば、全てのアンテナ部について、各基地局装置１０ａ、１０ｂのセルＩＤに基づいて選択されたホッピング系列によって同じホッピングを行っても良い。また、アンテナ部毎に、各基地局装置１０ａ、１０ｂのセルＩＤと、アンテナ部の番号とに基づいて選択されたホッピング系列によってホッピングを行っても良い。
【００４６】
＜ホッピング系列生成部の動作方法＞
ここでは、ホッピング系列生成部１２７（図３）又はホッピング系列生成部２４６（図４）が、セルＩＤに基づいてホッピング系列を決定する方法について説明する。以下では、第１の動作方法と第２の動作方法の２通りについて述べる。
【００４７】
［第１の動作方法］
第１の動作方法では、セルＩＤに対応するホッピング系列自体が予め定められている。
この場合、基地局装置１０ａ、１０ｂも、端末２０も共に、セルＩＤとそれに対応するホッピング系列の対応表を、ホッピング系列生成部１２７、２４６が備える記憶装置（図示省略）に記憶している。
ホッピング系列生成部１２７又はホッピング系列生成部２４６は、セルＩＤとそれに対応するホッピング系列の対応表とを利用して、入力されたセルＩＤに基づいて、それに対応するホッピング系列を出力する。
セルＩＤに対応するホッピング系列の生成方法については、＜ホッピング系列の生成方法＞の箇所で後述する。
【００４８】
［第２の動作方法］
第２の動作方法では、セルＩＤとセルＩＤからホッピング系列を生成させる関数とに基づいて、ホッピング系列を生成する。この関数には、例えば、下記＜ホッピング系列の生成方法＞の［第１の生成方法］で説明するホッピング系列生成関数を利用する。
この場合、基地局装置１０ａ、１０ｂも、端末２０も共に、ホッピング系列生成部１２７、２４６が備える記憶装置（図示省略）に、ホッピング系列を生成する関数を記憶している。ホッピング系列生成部１２７又はホッピング系列生成部２４６は、入力されたセルＩＤとホッピング系列を生成させる関数とからホッピング系列を求め、そのホッピング系列を出力する。
【００４９】
上記第１の動作方法、第２の動作方法で説明したように、各セルで異なるホッピング系列を利用する際も、ホッピング系列についての情報を、基地局装置１０ａ、１０ｂ側から、端末２０側に無線で送信する必要はない。
これは、基地局装置１０ａ、１０ｂ側も、端末２０側も、セルＩＤと、それに対応するホッピング系列の対応表、または、ホッピング系列生成関数とを記憶しており、セルＩＤにより、対応するホッピング系列を求めることができるためである。このため、ホッピング系列を通知する機能を設ける必要がない。
【００５０】
＜ホッピング系列の生成方法＞
次に、ホッピング系列の生成方法について説明する。各セルのＲＳパターンは、隣接セルのＲＳパターンとできるだけ異なる配置とすることが望ましい。これは、セル間干渉をできるだけ平均化するためである。
このため、ＲＳパターンを、隣接セルのＲＳパターンとできるだけ異なる配置になるように設定する。これにより、セル間で干渉の平均化が図られて、システム全体のスループット特性を向上させることができる。ＲＳパターンは、ホッピング系列に基づいているため、ホッピング系列も、隣接セルのホッピング系列とできるだけ異なるように設定することが望ましい。
【００５１】
以下の生成方法では、ホッピング系列を−１、０、＋１の３通りに制限する方法について説明する。ホッピング系列を制限することの利点は、＜チャネル推定の複雑さとスループット特性についての検討＞の箇所で後述する。なお、３通りではなく、−１、＋１の２通りなどに制限しても良い。
３通りに制限する場合と２通りに制限する場合の利点についても、＜チャネル推定の複雑さとスループット特性についての検討＞の箇所で後述する。
【００５２】
［第１の生成方法］
第１の生成方法では、ホッピング系列の生成に、＜ホッピング系列生成部の動作方法＞の［第２の動作方法］で説明したホッピング系列生成関数を利用する。ホッピング系列生成関数は、セルＩＤからホッピング系列を生成する関数である。
［第１の生成方法］を利用してホッピング系列を求める場合であって、＜ホッピング系列生成部の動作方法＞の［第１の動作方法］で動作するホッピング系列生成部１２７、２４６を用いる場合、セルＩＤ毎に、ホッピング系列生成関数からホッピング系列を求め、セルＩＤとホッピング系列の対応表を予め定めておく。そして、基地局装置１０ａ、１０ｂも、端末２０も共に、上記対応表を記憶しておく。
［第２の動作方法］で動作するホッピング系列生成部１２７、２４６を用いる場合は、基地局装置１０ａ、１０ｂも、端末２０も共に、ホッピング生成関数を記憶し、ホッピング系列生成部１２７、２４６に入力されるセルＩＤに従い、ホッピング系列を計算する。
【００５３】
なお、１フレームは、時間軸方向に１０個のサブフレームからなり、１サブフレームは２個のサブスロットからなる。下り回線の１個のリソースブロックは、時間軸方向には７個のリソースエレメントからなり、周波数軸方向には１２個のリソースエレメントからなる。
【００５４】
ここで、ホッピング系列生成関数について説明する。ホッピング系列を生成するために、セルＩＤ（Ｃｅｌｌ＿ＩＤ）とサブフレーム番号（ｉ）から成るホッピング系列生成関数が定義される。このホッピング系列生成関数は、以下の２つの関数で構成される。
【００５５】
【数１】
2009131142.tif 000003
【００５６】
【数２】
2009131142.tif 000004
【００５７】
基地局装置１０ａ、１０ｂ毎のホッピング系列は、ホッピング系列生成関数を用いて、以下の式（１）により生成される。
【００５８】
【数３】
2009131142.tif 000005
【００５９】
ここで、関数Ｈｏｐ１（Ｃｅｌｌ＿ＩＤ）は、セルＩＤから、第１サブフレームに対応するホッピング係数（ｈｐ１）を決定する関数である。ここでは、−３から＋３までの値を取る。
関数Ｈｏｐ（Ｃｅｌｌ＿ＩＤ、ｉ）は、セルＩＤに基づいて、第２サブフレームから第１０サブフレームに対応するホッピング係数（ｈｐ２、・・・、ｈｐ１０）を決定する関数である。ここでは、−１から＋１までの値を取る。
ここで、第１サブフレームに対応するホッピング系列だけ別に扱う理由は、セル毎にリファレンスシグナルが配置されるサブキャリアが予め異なって設定される場合を考慮したためである。
【００６０】
ｈｐ１は、−３から＋３の値をとる整数である。ｈｐ１は、セルＩＤ（Ｃｅｌｌ＿ＩＤ）を入力に持つ関数Ｈｏｐ１（Ｃｅｌｌ＿ＩＤ）により、ｈｐ１＝Ｈｏｐ１（Ｃｅｌｌ＿ＩＤ）として求められる。
ｈｐ２からｈｐ１０は、−１から＋１までの値をとる整数である。ｈｐ２からｈｐ１０は、セルＩＤ（Ｃｅｌｌ＿ＩＤ）と、サブフレーム番号（ｉ）を入力に持つ関数Ｈｏｐ（Ｃｅｌｌ＿ＩＤ、ｉ）とにより、ｈｐ２＝Ｈｏｐ（Ｃｅｌｌ＿ＩＤ、２）、ｈｐ３＝Ｈｏｐ（Ｃｅｌｌ＿ＩＤ、３）、・・・、ｈｐ１０＝Ｈｏｐ（Ｃｅｌｌ＿ＩＤ、１０）として求められる。
例えば、Ｃｅｌｌ＿ＩＤ＝０００１の時は、ｈｐ１＝Ｈｏｐ１（０００１）、ｈｐ２＝Ｈｏｐ（０００１、２）、ｈｐ３＝Ｈｏｐ（０００１、３）、・・・、ｈｐ１０＝Ｈｏｐ（０００１、１０）となる。
【００６１】
リファレンスシグナルのホッピングを行うと、フレームとフレームの境目とにおいて、リファレンスシグナルが周波数方向に離れて配置されてしまうことがある。
これは、次のような理由からである。
ホッピング系列は、１フレーム（＝１０サブフレーム）毎に繰り返す。このため、第１サブフレームと第１サブフレームから数えて第１１サブフレーム目（＝次のフレームの第１サブフレーム）のリファレンスシグナル（ＲＳ）が配置されるリソースエレメント（ＲＥ）は、周波数方向で同じ位置になる。この位置は、ｈｐ１で与えられる。
ここで、第１サブフレームから、制限を与えずに−１から＋１の間でホッピングを行うと、第１０サブフレームと次のフレームの第１サブフレームのリファレンスシグナル（ＲＳ）との位置の間に、周波数方向にギャップが開いてしまう。
フレームの境界でリファレンスシグナルの配置が周波数方向に離れてしまうと、端末２０側でチャネル推定を行う際、フレームを跨いだフィルタを用いる必要がある。このためチャネル推定の複雑さが増加してしまう。また、チャネル推定の精度も悪くなってしまう。
【００６２】
これを避けるために、フレームの境界（フレームの最後のサブフレームと次のフレームの最初のサブフレームとの境界）において、リファレンスシグナルが配置されるリソースエレメントは、周波数方向に同じ位置にあるか、または、差の少ないほうが（周波数方向に離れていないほうが）望ましい。これにより、チャネル推定の複雑さを減らし、推定精度を向上することが可能となる。
リファレンスシグナル（ＲＳ）が周波数方向に６リソースエレメント（ＲＥ）毎に繰り返し配置されていることを考慮すると、以下の方法を用いることができる。つまり、リファレンスシグナル（ＲＳ）は、ホッピングによって元の周波数位置（第１サブフレームのリファレンスシグナル（ＲＳ）の周波数位置）まで戻ってこなくても、周波数方向に−６、＋６だけ離れた隣のリファレンスシグナル（ＲＳ）の周波数位置に近づいていく方法を用いることができる。
【００６３】
以上を考慮して、ホッピング系列を生成する段階において、以下の式（２）を満たすホッピング系列を生成することが望ましい。
【００６４】
【数４】
2009131142.tif 000006
【００６５】
式（２）では、第２サブフレームから第１０サブフレームまでに対して行われるホッピングの値を合計し、ｍｏｄ  ６を計算している。つまり、第１フレームの第１サブフレームのリソースエレメント（ＲＥ）の周波数方向の位置を０とすると、そこからホッピングを行う。そして、第２フレームの第１サブフレームで、リファレンスシグナル（ＲＳ）が周波数方向で−６、０、＋６の位置に来るようにホッピングを制限している。
ここで、式（２）の制限を設けたホッピングの例を図５に示す。
図５では、第１フレームＦ１、第２フレームＦ２、・・・の構成を示している。第１フレームＦ１は、第１サブフレームＳＦ１０１、第１サブフレームＳＦ１０２、第１サブフレームＳＦ１０３、第１サブフレームＳＦ１０４、第１サブフレームＳＦ１０５、第１サブフレームＳＦ１０６、第１サブフレームＳＦ１０７、第１サブフレームＳＦ１０８、第１サブフレームＳＦ１０９、第１サブフレームＳＦ１１０からなる。また、第２フレームＦ２は、第１サブフレームＳＦ２０１、第２サブフレームＳＦ２０２、・・・からなる。
【００６６】
図５において、リソースエレメントａ１１やリソースエレメントａ１２に付したハッチングと同じハッチングを付したリソースエレメントには、リファレンスシグナルが配置されている。
第２サブフレームＳＦ１０２、第３サブフレームＳＦ１０３、第４サブフレームＳＦ１０４、第５サブフレームＳＦ１０５、第６サブフレームＳＦ１０６、第７サブフレームＳＦ１０７、第８サブフレームＳＦ１０８、第９サブフレームＳＦ１０９、第１０サブフレームＳＦ１１０、第１サブフレームＳＦ２０１は、第１サブフレームＳＦ１０１、第２サブフレームＳＦ１０２、第３サブフレームＳＦ１０３、第４サブフレームＳＦ１０４、第５サブフレームＳＦ１０５、第６サブフレームＳＦ１０６、第７サブフレームＳＦ１０７、第８サブフレームＳＦ１０８、第９サブフレームＳＦ１０９、第１０サブフレームＳＦ１１０を、それぞれ、＋１、−１、＋１、＋１、＋１、＋１、＋０、＋１、＋０、＋１だけシフトしたものである。
ここでは、リファレンスシグナル（ＲＳ）の配置されたリソースエレメント（例えば、ａ１１）は、ホッピングにより、周波数方向に＋６だけ離れた隣のリファレンスシグナル（例えば、ａ１２）の位置に収束している。
【００６７】
［第２の生成方法］
第２の生成方法は、セル間干渉を平均化させるホッピング系列を、予めネットワーク側で定義（設定）しておく方法である。定義される配列は、例えば、＋１、０、−１で構成される。
上記［第１の動作方法］で動作するホッピング系列生成部１２７、２４６を用いる場合、セルＩＤとホッピング系列の対応表を予め定めておく。基地局装置１０ａ、１０ｂも、端末２０も共に、上記対応表をホッピング系列生成部１２７、ホッピング系列生成部２４６が備えている記憶装置に記憶しておく。上記［第２の動作方法］で動作するホッピング系列生成部１２７、２４６には、本生成方法は用いない。
【００６８】
［第３の生成方法］
第３の生成方法は、ホッピング系列をランダムに設定する。ホッピング系列は、例えば＋１、０、−１がランダムに配置されたランダム数列である。
上記［第１の動作方法］で動作するホッピング系列生成部１２７、２４６を用いる場合、セルＩＤ毎にランダムに配置されたホッピング系列の対応表を予め記憶しておく。基地局装置１０ａ、１０ｂも、端末２０も共に、上記対応表をホッピング系列生成部１２７、ホッピング系列生成部２４６が備えている記憶装置に記憶しておく。上記［第２の動作方法］で動作するホッピング系列生成部１２７、２４６には、本生成方法は用いない。
【００６９】
＜ＲＳパターン生成部の動作＞
ここでは、ＲＳパターン生成部１２９（図３）、２４８（図４）の動作について説明する。
【００７０】
図６は、本発明の実施形態によるＲＳパターン生成部１２９又はＲＳパターン生成部２４８の処理を示すフローチャートである。なお、ここでは、ＲＳパターン生成部１２９における処理を例として説明する。
図３で説明したように、ＲＳパターン生成部１２９には、ホッピング系列（ＨＰ＝［ｈｐ１、ｈｐ２、・・・、ｈｐ１０］）とＲＳ基本パターン（Ａ０）とが入力される（ステップＳ０１）。
ここでは、例として、上記［第１の動作方法］で動作するＲＳパターン生成部１２９を用いる場合について説明する。すなわち、基地局装置１０ａ、１０ｂも、端末２０も共に、セルＩＤとそれに対応するホッピング系列の対応表を記憶している。
【００７１】
図７は、本発明の実施形態によるセルＩＤとホッピング系列の対応表の一例を示す図である。ここでは、１フレームに１０サブフレームが含まれている場合について説明する。例えば、セルＩＤが０００１のとき、（Ｃｅｌｌ＿ＩＤ＝０００１）であり、対応するホッピング系列は、ＨＰ＝［＋３  ＋１  −１  −１  ０  ＋１  ０  −１  −１  ＋１］となる。
ＲＳパターン生成部１２９は、サブフレーム番号ｉの初期化を行い（ｉ＝０）、ＲＳパターンＡｉの初期値として、基本ＲＳパターン（Ａ０）を設定する（図６のステップＳ０２）。ここで、基本ＲＳパターンＡ０を図８Ａに示す。
図８Ａは、基本ＲＳパターンを示す図である。図８Ａでは、１個のサブフレームに含まれる２個のリソースブロックを取り出して示している。この１個のリソースブロックは、時間軸方向に７個のリソースエレメントからなり、周波数軸方向には１２個のリソースエレメントからなる。リファレンスシグナル（ＲＳ）を配置するリソースエレメントは斜線でハッチングして示している。
【００７２】
次に、第１サブフレームのリファレンスシグナルのホッピングを行うために、ｉを、ｉ＋１で置き換え、ｉ＝１とする（図６のステップＳ０３）。
次に、周波数ホッピングを行う（図６のステップＳ０４）。周波数ホッピングでは、ＲＳパターンＡｉ−１のＲＳの配置を、周波数方向にｈｐｉだけシフトさせる。そして、ＲＳの配置がシフトされたＲＳパターンをＡｉとして出力するシフト関数を用い、ホッピングを行う。ここでは、シフト関数として、以下の式（３）を用いる。
【００７３】
【数５】
2009131142.tif 000007
【００７４】
シフト関数の使用例を図９Ａ及び図９Ｂを用いて説明する。図９Ａは、ＲＳパターンＡｘ−１を示す図である。図９Ｂは、ＲＳパターンＡｘを示す図である。図９ＡのＲＳパターンＡｘ−１を、＋１だけシフトさせることにより、図９ＢのＲＳパターンＡｘを得る。つまり、図９Ａに示すＲＳパターンＡｘ−１に対して、Ａｘ＝ＳＨＩＦＴ（Ａｘ−１，＋１）の演算を行うことにより、図９Ｂに示すＲＳパターンＡｘが得られる。
【００７５】
図６のフローチャートでは、Ａ０をｈｐ１（＋３）だけシフトさせたＲＳパターンＡ１が得られる（図８Ｂ参照）。なお、図８Ｂは、第１サブフレームのＲＳパターンを示す図である。図８Ｂに示すＲＳパターンは、図８Ａに示すＲＳパターンを、周波数方向に＋３だけホッピングすることによって得られる。
Ａ１は、セル毎の基本ＲＳパターンと考えることができる。つまり、この例のセルでは、図８Ｂに示されたＲＳのサブキャリアをホッピングの起点として、周波数方向に±１の範囲でホッピングを行う。
得られたＲＳパターンは、Ａ１として出力され（図６のステップＳ０５）、第１サブキャリアのＲＳパターンとして図３のＲＥ配置部１２２に入力される。
【００７６】
次に、ｉが１０よりも小さいか否かについて判定する（図６のステップＳ０６）。ｉが１０以上である場合、ステップＳ０２に戻る。一方、ｉが１０よりも小さい場合、ステップＳ０３に戻る。これにより、次のサブフレームのＲＳパターンを繰り返し生成する。
ここでは、ステップＳ０６においてｉ＝１で、ｉ＜１０を満たすため、ステップＳ０３に戻る。そして、ステップＳ０３でｉ＝２となり、ステップＳ０４において第２サブフレームのＲＳパターンが求められる。
ここでは、ｈｐ２＝＋１のため、Ａ１のＲＳを周波数方向に＋１だけシフトした配置が、第２サブフレームのＲＳパターンＡ２となる（図８Ｃ参照）。図８Ｃは、第２サブフレームのＲＳパターンを示す図である。図８Ｃに示すＲＳパターンは、図８Ｂに示すＲＳパターンを、周波数方向に＋１だけホッピングすることによって得られる。
以上の処理を繰り返すことで、ＲＳパターンＡ１、・・・、Ａ１０が得られる。
【００７７】
ここでは、フレーム毎にＲＳパターンを計算し直す方法を説明したが、これに限定されるものではない。例えば、あるフレームで求められたＲＳパターンＡ１、・・・、Ａ１０を、記憶部に記憶しておき、必要に応じて記憶部から読み出しても良い。
【００７８】
＜チャネル推定の複雑さとスループット特性についての検討＞
ここでは、チャネル推定精度とスループット特性について検討する。
【００７９】
図１０は、ホッピング方法の違いによるチャネル推定の複雑さとホッピング系列数についてまとめた表である。参考のために、シフトを行った場合の特性も記載している。図１０では、系列として「ホッピング（制限なし）」、チャネル推定の複雑さを示す必要フィルタ数として「２×６」、系列数として「６１０＝６０４６６１７６」を対応付けて記憶している。
また、系列として「ホッピング（−１，０，１の３通りに制限）」、チャネル推定の複雑さとして「２×３」、系列数として「６×３９＝１１８０９８」を対応付けて記憶している。
また、系列として「ホッピング（−１，１の２通りに制限）」、チャネル推定の複雑さとして「２×２」、系列数として「６×２９＝３０７２」を対応付けて記憶している。
また、系列として「シフティング」、チャネル推定の複雑さとして「２×１」、系列数として「６×１９＝６」を対応付けて記憶している。
【００８０】
図１０において、フィルタ数に関しては、チャネル推定方法として、２Ｄ  Ｗｉｅｎｅｒ推定方法（Ｓｌｉｄｉｎｇ−ｗｉｎｄｏｗ  Ａｖｅｒａｇｉｎｇ）を利用している。また、ドップラーや遅延スプレッドが一定の場合のフィルタ数を表している。
【００８１】
まず、チャネル推定の複雑さについて述べる。チャネル推定においては、推定に用いるフィルタ数が増えるに従い、推定の際の複雑さが増す。従って、シフトを行う時がもっとも推定の複雑さが小さい。
次に、系列数に着目すると、系列数が多いほどセル間干渉をより平均化するホッピング系列の構築が可能となり、システム全体の伝送のスループット特性は向上する。このため、ホッピング（制限なし）を行った場合に最良のスループットとする可能となる。
以上の関係より、チャネル推定の複雑さの少ないシフトでは、スループットが小さくなる。逆にスループットの高いホッピング（制限なし）では、チャネル推定の複雑さが大きくなる。
つまり、チャネル推定の複雑さと、システムのスループット特性との間には、トレードオフの関係がある。これより、チャネル推定の複雑さとスループットのバランスを取ることが望ましい。
【００８２】
以上より、ホッピングを例えば、−１、０、＋１の３通りに制限するか、−１、＋１の２通りに制限することで、チャネル推定の複雑さとシステム全体の伝送におけるスループットのバランスを取ることができる。ホッピングを、３通りに制限したほうがスループットは高くなる。
また、ホッピングを、２通りに制限したほうがチャネル推定の複雑さは小さくなる。ただし、２通りに制限した場合、利用できる系列数が３０７２となり、３通りに制限した場合の系列数１１８９０８に比べ大幅に少なくなる。
セルＩＤグループ数は１７０であるため、ホッピング系列数も１７０以上あれば、数の面では十分である。しかし、ホッピング系列を互いにできるだけ異なるものにし、セル間干渉をより平均化させたいという側面を考慮すると、３通りに制限したほうが望ましい。
【００８３】
また、非特許文献３においても、ホッピングを２通りに制限することが記載されているが、非特許文献３でのホッピング系列の制限方法は、予め定義された２通りのホッピング系列を交互に繰り返すものである。
この制限方法でも、推定の際に用いるフィルタ数を少なくできるという利点はある。しかし、リファレンスシグナルの配置が、あるリソースエレメント付近では密になってしまい、あるリソースエレメント付近では疎になってしまうという問題がある。このため、リファレンスシグナルが疎になったリソースエレメント付近では、チャネル推定の精度が下がってしまう。
【００８４】
しかし、本発明の実施形態によるホッピング系列の制限法、つまり、＋１、０、−１の３通りに制限する方法や、＋１、−１の２通りに制限する方法を用いれば、ホッピングされるリファレンスシグナル間が周波数方向にさほど大きく離れない。そのため、リファレンスシグナルが全体にバランスよく配置されることになり、チャネル推定の精度が向上する。
これにより、チャネル推定精度を下げることなくホッピング系列を制限することができる。なお、ホッピングのさせ方を、＋３や−３などにするのではなく、＋１から−１の範囲で行っても良い。
【００８５】
なお、以上説明した実施形態において、基地局装置１０ａ、１０ｂの各部（図２、図３）や、端末２０の各部（図２、図４）の機能を実現するためのプログラムをコンピュータ読み取り可能な記録媒体に記録しても良い。そして、この記録媒体に記録されたプログラムをコンピュータシステムに読み込ませ、実行することにより基地局装置１０ａ、１０ｂや端末２０の制御を行っても良い。なお、ここでいう「コンピュータシステム」とは、ＯＳや周辺機器等のハードウェアを含む。
【００８６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含む。また上記プログラムは、前述した機能の一部を実現するためのものであっても良い。さらに前述した機能をコンピュータシステムにすでに記録されているプログラムとの組み合わせで実現できるものであっても良い。
【００８７】
以上、この発明の実施形態について図面を参照して詳述してきたが、具体的な構成はこの実施形態に限られるものではなく、この発明の要旨を逸脱しない範囲の設計等も請求の範囲に含まれる。
【産業上の利用可能性】
【００８８】
本発明は、送信機と受信機とで通信する際のスループットが低下することを防ぐことができる通信システム、送信機、受信機及び通信方法などに適用できる。
【符号の説明】
【００８９】
１０・・・基地局装置、１１・・・アンテナ部、１２・・・送信部、１３・・・制御部、１４・・・受信部、２０・・・端末、２１・・・アンテナ部、２２・・・送信部、２３・・・制御部、２４・・・受信部、１２１・・・変調部、１２２・・・ＲＥ配置部、１２３・・・ＩＦＦＴ処理部、１２４・・・無線部、１２５・・・セルＩＤ記憶部、１２６・・・ＲＳ生成部、１２７・・・ホッピング系列生成部、１２８・・・ＲＳ基本パターン記憶部、１２９・・・ＲＳパターン生成部、２４１・・・無線部、２４２・・・ＦＦＴ処理部、２４３・・・分離部、２４４・・・復調部、２４５・・・セルＩＤ検出部、２４６・・・ホッピング系列生成部、２４７・・・ＲＳ基本パターン記憶部、２４８・・・ＲＳパターン生成部
【図１】
2009131142.tif 000008
【図２】
2009131142.tif 000009
【図３】
2009131142.tif 000010
【図４】
2009131142.tif 000011
【図５】
2009131142.tif 000012
【図６】
2009131142.tif 000013
【図７】
2009131142.tif 000014
【図８Ａ】
2009131142.tif 000015
【図８Ｂ】
2009131142.tif 000016
【図８Ｃ】
2009131142.tif 000017
【図９Ａ】
2009131142.tif 000018
【図９Ｂ】
2009131142.tif 000019
【図１０】
2009131142.tif 000020
【国際調査報告】
2009131142.tif 000021
2009131142.tif 000022
2009131142.tif 000023